(57)【要約】【課題】狭いスペースに配置でき、電源コード及びコードブッシングの破損等を抑制した滅菌器を提供する。【解決手段】滅菌器本体１１と、滅菌器本体１１の背面１５側から突出される電源コードと、電源コードに設けられたコードブッシング２８とを有する滅菌器において、電源コードが貫通される背面１５の内側には、コードブッシング２８が収容されるブッシング収容部３１を有しており、コードブッシング２８は、固定部材３２によりブッシング収容部３１に固定されている。【選択図】図３
2015146888.tif 000002
【特許請求の範囲】
【請求項１】
滅菌器本体と、前記滅菌器本体の背面側から突出される電源コードと、前記電源コードに設けられたコードブッシングとを有する滅菌器において、
前記電源コードが貫通される前記背面の内側には、前記コードブッシングが収容されるブッシング収容部を有しており、
前記コードブッシングは、固定部材により前記ブッシング収容部に固定されていることを特徴とする滅菌器。
【請求項２】
前記滅菌器本体は、底板を有しており、
前記ブッシング収容部は前記底板に設けられていることを特徴とする請求項１に記載の滅菌器。
【請求項３】
前記ブッシング収容部には、前記底板の端辺から立設され、前記電源コードが貫通される開孔が形成された固定板を有しており、
前記コードブッシングは、前記固定板と前記固定部材とで挟持されていることを特徴とする請求項１又は２に記載の滅菌器。
【請求項４】
前記コードブッシングには、軸方向と直交するように溝が形成されており、
前記固定部材は、前記固定板と対向するように配置された固定部を有し、前記固定部は、前記電源コードが挿通される挿通溝と、前記挿通溝の両側に形成される嵌合部とを有し、
前記コードブッシングの溝に前記嵌合部が嵌り込むことで、前記コードブッシングが前記固定部材に固定されることを特徴とする請求項１〜３のいずれかに記載の滅菌器。
【請求項５】
前記固定部材は、前記底板と対向する天井部を有し、
前記天井部と前記底板の前記固定板とが接続されており、
前記コードブッシングは、前記天井部に覆われていることを特徴とする請求項２〜４のいずれかに記載の滅菌器。
【請求項６】
前記滅菌器本体は、前記背面が覆われる背面カバーを有しており、
前記背面カバーには、前記背面の前記電源コードが突出される部分と対応する位置に、前記電源コードが貫通する貫通孔が形成されていることを特徴とする請求項１〜５のいずれかに記載の滅菌器。
【発明の詳細な説明】
【技術分野】
【０００１】
本発明は、背面側を壁等に近接して配置できる滅菌器に関し、詳しくは、背面側から突出される電源コードに設けられたコードブッシングを本体内部に収容する構成を有する滅菌器に関する。
【背景技術】
【０００２】
電力を使用する機器では、この機器に電力を供給するために電源コードが必要となる。このとき、機器から突出される電源コードを保護するためにコードブッシングが設けられ、機器の側面側、特に、機器の背面側から突出するようになされている。しかし、コードブッシングが機器の背面側から突出すると、背面側を壁等に近接して配置する際、電源コード及びコードブッシングが壁等に接触し、電源コード及びコードブッシングが損傷するおそれがある。
【０００３】
このような、問題を解決するために、下記特許文献１には、電源コードの破損を防止する電動機器の発明が開示されている。下記特許文献１に開示された電動機器は、筐体内部の電気駆動部品に電気を供給する電源コードを備えた電動機器において、筐体の内部のモータに電気を供給する電源コードがブッシング部にて筐体に係止されるとともに筐体を貫通して設けられ、そのブッシング部は筐体の外部で略９０°に屈曲する形状を有し、筐体の外部のブッシング部を挟んで対向する位置にブッシング部の回転を防止するフランジが設けられているとしている。このような構成とすることで、下記特許文献１に開示された電動機器によれば、電源コードによる設置スペースの拡大を抑えつつも電源コードの捩れによる破損を防止することができるとされている。
【先行技術文献】
【特許文献】
【０００４】
【特許文献１】特開２００２−１６４６７２号公報
【発明の概要】
【発明が解決しようとする課題】
【０００５】
コードブッシングが用いられる機器として医療現場等で使用される滅菌器がある。このような滅菌器は、病院の医療設備や医用機器等が置かれた場所において、限られた狭いスペースに配置されることが多い。そのため、上記特許文献１に開示された電動機器に用いられるフランジを設けると、滅菌器を壁等に近接して設置したとき、電源コード等の損傷は抑制できるが、フランジが形成された分だけ設置場所を広くする必要があり、所望の場所に設置が困難となるおそれがある。
【０００６】
そこで、本発明は、限られた狭いスペースに設置することができ、また、電源コード及び電源コードに設けられたコードブッシングの損傷を抑制することができる滅菌器を提供することを目的とする。
【課題を解決するための手段】
【０００７】
上記目的を達成するために、第１の態様の滅菌器は、滅菌器本体と、前記滅菌器本体の背面側から突出される電源コードと、前記電源コードに設けられたコードブッシングとを有する滅菌器において、
前記電源コードが貫通される前記背面の内側には、前記コードブッシングが収容されるブッシング収容部を有しており、
前記コードブッシングは、固定部材により前記ブッシング収容部に固定されていることを特徴とする。
【０００８】
また、第２の態様の滅菌器は、第１の態様の滅菌器において、前記滅菌器本体は、底板を有しており、
前記ブッシング収容部は前記底板に設けられていることを特徴とする。
【０００９】
また、第３の態様の滅菌器は、第１又は第２の態様の滅菌器において、前記ブッシング収容部には、前記底板の端辺から立設され、前記電源コードが貫通される開孔が形成された固定板を有しており、
前記コードブッシングは、前記固定板と前記固定部材とで挟持されていることを特徴とする。
【００１０】
また、第４の態様の滅菌器は、第１〜第３のいずれかの態様の滅菌器において、前記コードブッシングには、軸方向と直交するように溝が形成されており、
前記固定部材は、前記固定板と対向するように配置された固定部を有し、前記固定部は、前記電源コードが挿通される挿通溝と、前記挿通溝の両側に形成される嵌合部とを有し、
前記コードブッシングの溝に前記嵌合部が嵌り込むことで、前記コードブッシングが前記固定部材に固定されることを特徴とする。
【００１１】
また、第５の態様の滅菌器は、第２〜第４のいずれかの態様の滅菌器において、前記固定部材は、前記底板と対向する天井部を有し、
前記天井部と前記底板の前記固定板とが接続されており、
前記コードブッシングは、前記天井部に覆われていることを特徴とする。
【００１２】
また、第６の態様の滅菌器は、第１〜第５のいずれかの態様の滅菌器において、前記滅菌器本体は、前記背面が覆われる背面カバーを有しており、
前記背面カバーには、前記背面の前記電源コードが突出される部分と対応する位置に、前記電源コードが貫通する貫通孔が形成されていることを特徴とする。
【発明の効果】
【００１３】
第1の態様の滅菌器によれば、滅菌器の背面を壁等に近接して配置しても、コードブッシングが滅菌器内のプッシング収容部に収容されているので、滅菌器をより壁等に近接して配置することができるようになる。また、コードブッシングが滅菌器内に収容されることで、コードブッシングが壁等に当接することによる電源コードの損傷を抑制することができる。なお、壁等に電源コードが当接したとしても、電源コードは柔軟で、可撓性を有しているので、損傷を抑制することができる。
【００１４】
また、第２の態様の滅菌器によれば、コードブッシングが収容されるブッシング収容部を滅菌器の底板に設けることで、滅菌基本体内に設けられる滅菌機を構成する他の部品の配置の邪魔になることを抑制することができる。
【００１５】
また、第３の態様の滅菌器によれば、滅菌基本体の底板から固定板を立設させた固定板を設けることで、コードブッシングの固定をより安定させることができる。
【００１６】
また、第４の態様の滅菌器によれば、固定部材とコードブッシングとの固定を確実に行なうことができる。なお、コードブッシングに形成される溝は、一対の対向する溝や、環状の溝とすることができる。
【００１７】
また、第５の態様の滅菌器によれば、コードブッシングの上面が固定部材の天井部により覆われることで、コードブッシングに埃や塵等が付着することを抑制される。また、固定部材の天井部と底板の固定板とが接続されることで、固定部材と底板とが一体となり、コードブッシングの固定がより確実となる。
載の滅菌器。
【００１８】
また、第６の態様の滅菌器によれば、滅菌器本体の背面側に背面カバーを覆うことができる。
【図面の簡単な説明】
【００１９】
【図１】図１Ａは実施形態の滅菌器の正面斜視図であり、図１Ｂは背面斜視図である。
【図２】実施形態の滅菌器の概略図である。
【図３】図３Ａは図１Ｂの滅菌器の本体カバーと背面カバーを省いた状態の斜視図であり、図３Ｂはブッシング収容部のみを設けた状態の斜視図である。
【図４】図４Ａは図３ＢのIVA部の拡大図であり、図４Ｂは図４Ａの分解図であり、図４Ｃは図１ＢのIVC−IVC線で切断したときの一部を拡大した断面図である。
【発明を実施するための形態】
【００２０】
以下、本発明の実施形態を、図面を用いて詳細に説明する。但し、以下に示す実施形態は、本発明の技術的思想を具体化するための滅菌器を例示するものであって、本発明をこの滅菌器に特定することを意図するものではない。本発明は特許請求の範囲に含まれるその他の実施形態のものにも均しく適応し得るものである。
【００２１】
［実施形態］
実施形態の滅菌器について、図１〜４を参照して説明する。実施形態の滅菌器１０は、直方体状の滅菌器本体１１を有しており、内部のチャンバー３８に被滅菌物、例えば、医療機器等を載置して密閉し、高温の水蒸気等を用いて滅菌作業が行われるものである。
【００２２】
滅菌器本体１１の前面１２には、滅菌器本体１１の内部に設けられたチャンバー３８（図２参照）に被滅菌物の出し入れをするための開閉自在のチャンバー蓋１３と滅菌器１０を操作する操作部１４が設けられている。
【００２３】
滅菌器本体１１の背面１５には、この背面１５側を覆う背面カバー１６が設けられており、また、背面１５側からは電源コード１８が突出されている。なお、背面カバー１６には、電源コード１８が貫通される貫通孔１７が形成されている。そして、滅菌器本体１１の背面１５側から突出される電源コード１８にはコードブッシング２８が設けられている（図３Ａ参照）。
【００２４】
滅菌器本体１１の底面１９には、滅菌器１０に内蔵する構成部品等が載置される底板２０が設けられている。この底板２０の下部には滅菌器１０が床等に載置される際の脚２３が４本設けられており、前面１２側の２本の脚２３は、高さの調整が可能なもの、例えば、アジャスタボルト等で構成されている。また、底板２０の背面１５側には、後述するブッシング収容部３１が設けられている。
【００２５】
滅菌器本体１１の上面２４及び一方及び他方の側面２５、２６には、一体に形成された本体カバー２７が設けられている。また、滅菌器本体１１の上面２４には、内部に設けられた貯水タンク３９（図２参照）に注水する際に開閉される上面蓋２４ａが設けられている。なお、この上面蓋２４ａは、蒸気を逃がすことも可能となっている。
【００２６】
なお、実施形態の滅菌器１０の内部の構成は、図２に示したような構成となっており、従来の滅菌器の構成を用いることができる。すなわち、滅菌器本体１１の内部には、被滅菌物が載置される載置棚を有する中空円筒状のチャンバー３８と、蒸気を発生させるために用いられる水を溜めておく貯水タンク３９と、水を加熱して被滅菌物を滅菌するための蒸気を発生させる加熱手段４０とを備えている。なお、チャンバー３８には、チャンバー蓋１３を介して、被滅菌物の出し入れが行われる。また、加熱手段４０の外側には、耐熱性のある絶縁板（図示せず）を介して誘導コイル４１が配置されており、誘導コイル４１に高周波電流が供給されると、誘導コイル４１に磁束が発生し、加熱手段４０に誘導電流が流れて、加熱手段４０が発熱することになる。
【００２７】
また、貯水タンク３９と加熱手段４０との間には、電磁ポンプ４２を介して、貯水タンク３９の水を加熱手段４０へ供給する給水管４３が接続されており、電磁ポンプ４２を作動させることにより、貯水タンク３９の水が、給水管４３を通過して加熱手段４０へと供給される。また、チャンバー３８と加熱手段４０との間には、加熱手段４０で発生した蒸気をチャンバー３８へ供給する給蒸管４４が接続されている。
【００２８】
また、チャンバー３８と貯水タンク３９との間には、電磁弁で構成された排気弁４５を介して、一端を貯水タンク３９の水位よりも高い位置に接続し、他端をチャンバー３８の背面壁に接続された排気管４６が接続されている。そして、排気弁４５の開閉動作によって、チャンバー３８内の空気や蒸気の排気が適時行われる。
【００２９】
チャンバー３８の上部には、コンプレッサー４８とフィルター４９と、電磁弁で構成した空気弁５０とが順次接続された空気供給管４７が接続されている。また、チャンバー３８の背面壁には、チャンバー３８の内部温度の計測が行われるサーミスタで構成した温度センサ５１が取り付けられている。
【００３０】
また、滅菌器本体１１は、マイコン等で構成された制御部５２を備えており、制御部５２と誘導コイル４１等とは配線５３によって接続されている。そして、使用者が操作部１４を操作することで、予め設定されているプログラム等に基づき滅菌作業が行われる。
【００３１】
次に、滅菌器本体１１に設けられるブッシング収容部３１について主に図３及び図４を参照して説明する。ブッシング収容部３１は、図３Ａに示すように、電源コード（図１Ｂ参照）に設けたコードブッシング２８を滅菌器本体１１内に収容する部分であり、滅菌器本体１１の底板に設けられている。底板２０に設けることで、滅菌器１０を構成する他の部品の配置の邪魔になることが抑制される。ブッシング収容部３１は、背面１５側の底板２０の端辺の一部を立設させた固定板２１と、底板２０に固定される固定部材３２とで構成されており、この固定板２１と固定部材３２とでコードブッシング２８が挟持され、固定されている。
【００３２】
このとき、コードブッシング２８は、ブッシング収容部３１に収容されて固定されているため、コードブッシング２８は滅菌器本体１１の背面１５から突出せずに電源コード１８のみが突出されている。なお、実施形態１の滅菌器１０では、電源コード１８は背面の左下の部分から突出されている（図１Ｂ参照）。
【００３３】
コードブッシング２８は、合成樹脂材料で形成されており、電源コードより大きな径であって、所定の長さを有する筒状体で構成されている。そして、コードブッシング２８の内部にはコードブッシング２８の軸方向に電源コードが挿通される挿通路２９が形成されている（図４Ｂ参照）。なお、コードブッシングを電源コードに設ける方法としては、コードブッシングを別途形成し、電源コードに接着剤や熱溶着で取り付ける方法や、電源コードとコードブッシングを一体に形成する方法等がある。
【００３４】
また、コードブッシング２８には、後述する固定部材３２により固定される部分となる溝３０が形成されている。この溝３０は、コードブッシング２８の軸方向に対し垂直に形成されている。なお、この溝は、一対の対向する溝や、環状の溝とすることができる。実施形態では、環状の溝が形成されている。
【００３５】
固定板２１は、電源コードの断面積より大きな面積の板体となっており、中央に電源コードが貫通される開孔２２が形成されている。このとき、固定板２１の上部が滅菌器本体１１の内側に屈曲されており、後述する固定部材３２と接続される部分となる。
【００３６】
固定部材３２は、図４に示すように、コードブッシング２８を固定する固定部３３と、コードブッシング２８の上側に設けられる天井部３６と、固定部３３及び天井部３６から延設された複数の延設部３７とで構成されている。
【００３７】
固定部３３は、固定板２１と対向するように配置される板体で構成されている。この固定部３３には電源コードが挿通される挿通溝３４が形成され、この挿通溝３４の両側には、コードブッシング２８に形成された溝３０に嵌合される嵌合部３５が形成されている。そして、コードブッシング２８の溝３０に嵌合部３５を嵌め込むことで、コードブッシング２８を固定部材３２に固定することができるようになる。なお、嵌合部は、図４Ｂに示した形状に限定されず、コードブッシングの軸方向に対して両側を支持可能なものとすることができる。
【００３８】
また、天井部３６は、固定部３３と一体に形成されており、固定部３３に対して直角に屈曲されている。この天井部３６は、コードブッシング２８の上側を覆うように配置され、コードブッシング２８の軸方向の長さと略同じ長さで形成されている。また、天井部３６は、固定板２１の屈曲された部分とねじ止めにより接続されている。このようにすることで、固定部材３２を滅菌器本体１１の底板２０に固定させることができる。また、コードブッシング２８の上側が天井部３６により覆われることで、コードブッシングに埃や塵等が付着することを抑制される。
【００３９】
なお、延設部３７は、天井部３６及び固定部３３から延設されて一体に形成されており、滅菌器に必要な任意の構成が形成されるようになっている。
【００４０】
以上のように、ブッシング収容部３１が設けられた実施形態の滅菌器１０では、コードブッシングが滅菌器内のプッシング収容部に収容されているので、滅菌器をより壁等に近接して配置することができるようになる。また、コードブッシングが滅菌器内に収容されることで、コードブッシングが壁等に当接することによる電源コードの損傷を抑制することができる。
【００４１】
また、コードブッシングは、滅菌基本体の底板から立設させた固定板と、この固定板に接続させた固定部材とに挟持された固定されているので、コードブッシングを確実に且つ安定させて固定させることができる。
【符号の説明】
【００４２】
１０：滅菌器  １１：滅菌器本体  １２：前面  １３：チャンバー蓋  １４：操作部  １５：背面  １６：背面カバー  １７：貫通孔  １８：電源コード  １９：底面  ２０：底板  ２１：固定板  ２２：開孔  ２３：脚  ２４：上面  ２４ａ：上面蓋  ２５：一方の側面  ２６：他方の側面  ２７：本体カバー  ２８：コードブッシング  ２９：挿通路  ３０：溝  ３１：ブッシング収容部  ３２：固定部材  ３３：固定部  ３４：挿通溝  ３５：嵌合部  ３６：天井部  ３７：延設部  ３８：チャンバー  ３９：貯水タンク  ４０：加熱手段  ４１：誘導コイル  ４２：電磁ポンプ  ４３：給水管  ４４：給蒸管  ４５：排気弁  ４６：排気管  ４７：空気供給管  ４８：コンプレッサー  ４９：フィルター  ５０：空気弁  ５１：温度センサ  ５２：制御部  ５３：配線  
【図１】
2015146888.tif 000003
【図２】
2015146888.tif 000004
【図３】
2015146888.tif 000005
【図４】
2015146888.tif 000006